(57)【要約】【課題】  従来のキャップに代わる新しいキャップを遠心管やＴフラスコに装着することにより、キャップ自体の着脱をしなくとも開閉可能であり、開いた状態で開口部からノズルを差し込み、内溶液の分取分注作業を行なうことが可能なキャップを提供する。【解決手段】  遠心管２やＴフラスコの投入口に装着するキャップ１であって、投入口に気密状態で螺着又は嵌着することが可能な開口部７を備えたキャップ本体５と、キャップ本体の開口部を開閉する蓋６とを備え、更に蓋でキャップ本体の開口部を閉止した状態で蓋を開口部に一定の力で押し付ける弾性付勢手段９と、蓋と開口部を密着させるシールと、蓋を開閉するために該蓋と連係させて設けた操作部１１とからなる。【選択図】図１
2008239247.tif 000002
【特許請求の範囲】
【請求項１】
遠心管やＴフラスコの投入口に装着するキャップであって、前記投入口に気密状態で螺着又は嵌着することが可能な開口部を備えたキャップ本体と、該キャップ本体の開口部を開閉する蓋とを備え、更に前記蓋でキャップ本体の開口部を閉止した状態で該蓋を開口部に一定の力で押し付ける弾性付勢手段と、前記蓋と開口部を密着させるシールと、前記蓋を開閉するために該蓋と連係させて設けた操作部とからなることを特徴とするキャップ。
【請求項２】
前記キャップ本体の開口部の一側端部に、該開口部の端面に平行な支軸にて前記蓋を回動開閉可能に設けるとともに、前記弾性付勢手段として前記支軸にトーションばねを設け、又は前記支軸をトーションバーで構成してなる請求項１記載のキャップ。
【請求項３】
前記操作部が前記支軸を越えて前記蓋に連続した押圧部であり、該押圧部を押し込むことにより、前記蓋を開放する機構である請求項２記載のキャップ。
【請求項４】
前記操作部が前記蓋に連続した係止部であり、該係止部を引っ張ることにより、前記蓋を開放する機構である請求項２記載のキャップ。
【請求項５】
前記操作部が前記支軸の軸周りに前記蓋を回転させるつまみであり、該つまみを回転させることにより、前記蓋を開放する機構である請求項２記載のキャップ。
【請求項６】
前記キャップ本体の開口部の端面両側に、該開口部の端面と平行に一対のガイドを設けるとともに、両ガイドに前記蓋をスライド開閉可能に設け、前記蓋の一部に前記操作部として該蓋をガイドに沿って移動するための係合部を設けてなる請求項１記載のキャップ。
【発明の詳細な説明】
【技術分野】
【０００１】  本発明は、遠心管やＴフラスコに用いるキャップに関する。
【背景技術】
【０００２】  従来、医療・バイオ関連の操作において、遠心管やＴフラスコは、遠心分離操作をしたり、細胞の培養をするために多用されている。遠心管やＴフラスコには、取り扱い中のコンタミネーションを避けるために、投入口にキャップを装着している。そして、自動化装置において遠心管やＴフラスコを使用する場合、キャップを自動で着脱する装置を用いてキャップを外して、投入口からノズルを差し込み、内溶液の分取分注作業を自動で行なうのである。【０００３】  図４は通常の遠心管１００の投入口にキャップ１０１が装着されている様子を示す全体図であり、図５は通常のＴフラスコ１０２の投入口にキャップ１０４が装着されている様子を示す全体図である。また、図６は遠心管１００にキャップ１０１が装着された部分の拡大断面図である。これら従来のキャップ１０１の構造は、遠心管１００の投入口１０５の周囲に形成された雄ネジ部１０６にキャップ１０１の円筒部内周に形成された雌ネジ部１０７が噛合し、キャップ１０１を締付けることにより、投入口１０５の端面にキャップ１０１の蓋面１０８が圧接して液漏れやコンタミネーションを防ぐようになっている。【０００４】  一般的に、遠心管やＴフラスコのキャップは、旋回式（図４及び特許文献１を参照）や差込方式（特許文献２を参照）であり、キャップの締まり具合が一定でない場合、自動化装置においてキャップの着脱を安定して、確実に行なうことが困難である。例えば、キャップの自動着脱装置としては、ゴム等を滑り止めとしたチャックを有するキャップホルダーを用いてキャップを保持し、キャップホルダーの回転によりキャップを着脱するようにした装置が一般的である。また、遠心管キャップの着脱を目的としてエアチャックを利用した自動着脱装置もある。
【特許文献１】  特開２００４−１９２号公報
【特許文献２】  特開２００４−３１３５００号公報
【発明の開示】
【発明が解決しようとする課題】
【０００５】  しかしながら、ゴムチャックを有するキャップホルダーでキャップを旋回させるキャップ着脱装置では、キャップの着脱を確実に行なうためにチャック保持力を強くしてキャップホルダーのチャックとキャップとの摩擦力を大きくする必要があり、そのためにゴムチャックが破損したり、キャップや遠心管本体が変形したりして、キャップの着脱を確実に行なえなくなる。【０００６】  そこで、本発明が前述の状況に鑑み、解決しようとするところは、従来のキャップに代わる新しいキャップを遠心管やＴフラスコに装着することにより、キャップ自体の着脱をしなくとも開閉可能であり、開いた状態で開口部からノズルを差し込み、内溶液の分取分注作業を行なうことが可能なキャップを提供することを目的とする。
【課題を解決するための手段】
【０００７】    本発明は、前述の課題解決のために、遠心管やＴフラスコの投入口に装着するキャップであって、前記投入口に気密状態で螺着又は嵌着することが可能な開口部を備えたキャップ本体と、該キャップ本体の開口部を開閉する蓋とを備え、更に前記蓋でキャップ本体の開口部を閉止した状態で該蓋を開口部に一定の力で押し付ける弾性付勢手段と、前記蓋と開口部を密着させるシールと、前記蓋を開閉するために該蓋と連係させて設けた操作部とからなることを特徴とするキャップを構成した。【０００８】  そして、前記キャップ本体の開口部の一側端部に、該開口部の端面に平行な支軸にて前記蓋を回動開閉可能に設けるとともに、前記弾性付勢手段として前記支軸にトーションばねを設け、又は前記支軸をトーションバーで構成してなることが好ましい。【０００９】  ここで、前記操作部が前記支軸を越えて前記蓋に連続した押圧部であり、該押圧部を押し込むことにより、前記蓋を開放する機構であることがより好ましい。【００１０】  また、前記操作部が前記蓋に連続した係止部であり、該係止部を引っ張ることにより、前記蓋を開放する機構であることも好ましい。【００１１】  更に、前記操作部が前記支軸の軸周りに前記蓋を回転させるつまみであり、該つまみを回転させることにより、前記蓋を開放する機構であることも好ましい。【００１２】  また、前記キャップ本体の開口部の端面両側に、該開口部の端面と平行に一対のガイドを設けるとともに、両ガイドに前記蓋をスライド開閉可能に設け、前記蓋の一部に前記操作部として該蓋をガイドに沿って移動するための係合部を設けてなることも可能である。
【発明の効果】
【００１３】  上述したように本発明のキャップは、従来のような複雑なキャップ着脱装置が不要で、キャップを遠心管やＴフラスコの投入口に着脱しなくとも、キャップ本体に対して蓋を開閉するだけで、内溶液の分取分注等の作業を確実に実施することができ、しかも常に一定の条件で蓋を開閉できるので自動開閉装置による自動化に適応したものとなる。【００１４】  また、市販の遠心管やＴフラスコの投入口に、本発明のキャップを螺着又は嵌着するだけで使用することができる。つまり、本発明のキャップ本体を遠心管やＴフラスコの投入口に装着する構造として、従来の旋回式による螺着構造や、嵌合して密着させる嵌着構造を採用し、該キャップ本体の開口部を蓋で開閉するようにしたので、最小限の部品交換によって自動化に適応させることができ、経済的である。【００１５】  また、手作業の場合でも、従来はキャップ着脱作業を両手で行なっていたが、片手で瞬時に行なえ、作業効率を向上させることができる。
【発明を実施するための最良の形態】
【００１６】  本発明の実施形態を添付図面に基づき更に詳細に説明する。図１は本発明のキャップ１を装着した遠心管２の外観図であり、図２は押しローラ３によってキャップ１を開いてノズル４を差し込まれた状態の外観図であり、図３は本発明のキャップ１の断面図である。図中符号５はキャップ本体、６は蓋、７は開口部、８は支軸、９は弾性付勢手段、１０はシール、１１は操作部をそれぞれ示している。尚、本実施形態では、主に遠心管２に適用した例で説明するが、Ｔフラスコに適用する場合も同様である。【００１７】  本発明のキャップ１は、図１〜図３に示すように、遠心管１やＴフラスコの投入口１２に装着して使用するものであり、前記投入口１２に気密状態で螺着又は嵌着することが可能な開口部７を備えたキャップ本体５と、該キャップ本体５の開口部７を開閉する蓋６とを備え、更に前記蓋６でキャップ本体５の開口部７を閉止した状態で該蓋６を開口部７に一定の力で押し付ける弾性付勢手段９と、前記蓋６と開口部７を密着させるシール１０と、前記蓋６を開閉するために該蓋６と連係させて設けた操作部１１とからなっている。【００１８】  本実施形態では、前記遠心管２の投入口１２の外周面に雄ネジ部１３を形成するとともに、前記キャップ本体５の円筒部の内周面に前記雄ネジ部１３に螺合する雌ネジ部１４を形成している。前記キャップ本体５を前記遠心管２の投入口１２に螺着して、該投入口１２に対してキャップ本体５を気密状態に連結する構造は従来と同様とする。そして、前記キャップ本体５には、前記投入口１２に連通する開口部７を形成し、該開口部７の端面は前記投入口１２と直角な平面となっている。【００１９】  また、前記キャップ本体５の開口部７の一側端部に、該開口部７の端面に平行な支軸８にて前記蓋６を回動開閉可能に設けるとともに、前記弾性付勢手段９として前記支軸８にトーションばねを設け、該蓋６を開口部７に一定の力で押し付けるようにしている。ここで、前記弾性付勢手段９として支軸８をトーションバーで構成して、該蓋６を開口部７に一定の力で押し付けるようにしても良い。そして、前記開口部７の端面にはシール１０として、環状溝内に保持されたＯリングを設け、前記蓋６を閉止した際に該Ｏリングを圧接して密閉できるようになっている。【００２０】  また、図１及び図３に示すように、前記操作部１１が前記支軸８を越えて前記蓋６に連続した押圧部であり、図２に示すように、前記押圧部１１を押しローラ３で押し込むことにより、前記トーションばね９の弾性付勢力に抗して前記蓋６を開放する機構である。ここで、前記押しローラ３は、自動開閉装置の一部を構成し、前記ノズル４の操作装置と連動して自動制御され、立起状態に保持した前記遠心管２に装着した前記キャップ１の押圧部１１を押しローラ３で下方へ押して、前記蓋６を上方へ回転させて開放し、開放した開口部７から前記ノズル４を差し込んで、内容物を分取分注するのである。前記遠心管２からノズル４を抜いて一連の作業が終わり、前記押しローラ３を上方へ移動させれば、前記トーションばね９の弾性付勢力によって前記蓋６は開口部７のＯリング１０に密着して閉止する。【００２１】  尚、本発明に係るキャップ１は、自動開閉装置と組合せて用いる以外にも、手作業で内容物を分取分注する場合にも有効である。つまり、前記片手で遠心管２を握り、その親指で押圧部１１を下方に押して前記蓋６を開放することができるので、もう一方の手でピペットやスポイドを持って内容物を分取分注することができる。【００２２】  また、前記キャップ本体５を前記遠心管２の投入口１２に装着する構造として、差込方式の嵌合構造を利用するものでも良い。また、本発明は、遠心管２自体の構造は変更せず、キャップのみを代えることにより、開閉を容易にして自動化に適応させることを意図しているが、勿論、前記遠心管２の投入口１２の構造を変更し、前記キャップ本体５の機能を持たせても同様なものを実現することができる。【００２３】  次に、図示しないが、他の実施形態を簡単に説明する。先ず、前記操作部１１が前記蓋６に連続した係止部であり、該係止部を引っ張ることにより、前記蓋６を開放する機構としても良い。その場合には、前記自動開閉装置は、押しローラ３の代わりに前記係止部に係止可能なフック部を備え、前記蓋６を引いて開放するようにする。【００２４】  また、更に他の実施形態としては、前記操作部１１が前記支軸８の軸周りに前記蓋６を回転させるつまみであり、該つまみを回転させることにより、前記蓋６を開放する機構としても良い。【００２５】  そして、前述の実施形態では、蓋６を回動開閉する構造としたが、蓋６をキャップ本体５に対してスライド開閉する機構を採用することも可能である。つまり、前記キャップ本体５の開口部７の端面両側に、該開口部７の端面と平行に一対のガイドを設けるとともに、両ガイドに前記蓋６をスライド開閉可能に設け、前記蓋６の一部に前記操作部１１として該蓋６をガイドに沿って移動するための係合部を設けるのである。
【図面の簡単な説明】
【００２６】
【図１】  遠心管に本発明のキャップを装着した実施形態を示し、（ａ）は平面図、（ｂ）は正面図である。
【図２】  遠心管に装着した本発明のキャップの蓋を、押しローラで操作部を押して開放し、ノズルを差し込んだ状態の説明用正面図である。
【図３】  遠心管に本発明のキャップを装着した状態の部分拡大断面図である。
【図４】  従来の遠心管にキャップを装着した状態を示し、（ａ）は正面図、（ｂ）は平面図である。
【図５】  従来のＴフラスコにキャップを装着した状態を示し、（ａ）は平面図、（ｂ）は正面図、（ｃ）は側面図である。
【図６】  従来の遠心管にキャップを装着した状態の部分拡大断面図である。
【符号の説明】
【００２７】１  キャップ
２  遠心管
３  押しローラ
４  ノズル
５  キャップ本体
６  蓋
７  開口部
８  支軸
９  弾性付勢手段（トーションばね）
１０  シール（Ｏリング）
１１  操作部（押圧部）
１２  投入口
１３  雄ネジ部
１４  雌ネジ部
１００  遠心管
１０１  キャップ
１０２  Ｔフラスコ
１０４  キャップ
１０５  投入口
１０６  雄ネジ部
１０７  雌ネジ部
１０８  蓋面
【図１】
2008239247.tif 000003
【図２】
2008239247.tif 000004
【図３】
2008239247.tif 000005
【図４】
2008239247.tif 000006
【図５】
2008239247.tif 000007
【図６】
2008239247.tif 000008